(57)【要約】    【課題】  従来の画像送信装置の自動原稿搬送装置のジャムなどで送信ジョブが中断した場合は、最初から原稿をセットして読み直すというリカバリ方法があった、また最後に読み取られた画像データを表示／印字することにより、その表示画像と対応する原稿から再セットすることによりリカバリができていたが、いずれの方法においても、一度ジャムの発生したジョブは、正しく読み取られて送信がされているかユーザーにとって不安であった。    【解決手段】  自動原稿搬送装置、特にシートスルー方式のものでは、ジョブの途中に自動原稿搬送装置のジャムなどで送信ジョブが中断した場合は、１ページの原稿の読み取り中に中断している場合が多く、この場合はこの１ページに満たない原稿画像を消去することなく、印刷することにより、後で確認のために利用することができ、上記課題を解決できる。    【選択図】    図４ 
2005277749.tif 000002
【特許請求の範囲】
【請求項１】
一連の原稿に対応した画像データを送信するための送信ジョブを実行する画像送信装置において、
前記送信ジョブの条件設定を行う操作表示手段と、
前記条件設定に従って、原稿積載手段にセットされた前記一連の原稿を１枚づつ給紙し、原稿読み取り位置へ順次搬送する原稿給紙搬送手段と、
前記読み取り位置の原稿を前記条件設定に従って読み取る原稿読み取り手段と、
前記読み取った原稿の画像データを前記条件設定に従って順次ページ単位で格納する画像記憶手段と、
この画像記憶手段に格納されている複数の画像データを前記条件設定に従って送信する送信制御手段と、
前記原稿給紙搬送手段が前記一連の原稿を搬送しているときに搬送を中断する原因があった場合に、読み取り途中の原稿ページに対応する１ページに満たない不完全な画像データを消去することなく前記画像記憶手段に格納する不完全画像データ格納制御手段と、
前記画像記憶手段に格納された画像データから印刷用データを生成する印刷用データ生成手段とを有することを特徴とする画像送信装置。
【請求項２】
前記一連の原稿の搬送が中断したとき、前記不完全画像データから前記印刷用データ生成手段によって生成された印刷用データを印刷する不完全画像印刷制御手段を有することを特徴とする請求項１に記載の画像送信装置。
【請求項３】
前記一連の原稿の搬送が中断したとき、前記不完全画像データがない場合、または前記不完全画像データが所定容量以下である場合は、最後に読み取られた原稿の画像データから前記印刷用データ生成手段によって生成された印刷用データを印刷する最後の画像印刷制御手段を有することを特徴とする請求項１または２に記載の画像送信装置。
【請求項４】
前記一連の原稿の全てを前記原稿積載手段にセットして、送信再開を指示するよう操作者に促すためのメッセージを前記操作表示手段に表示するリカバリ表示手段と、
送信再開が指示されると、前記不完全画像に対応するページ以降に読み取られた原稿の画像データを、前記不完全画像に対応するページよりも１ページ前に読み取られた原稿の画像データに続くものとして、前記条件設定に従って前記送信ジョブを実行するリカバリ制御手段を有することを特徴とする請求項２に記載の画像送信装置。
【請求項５】
前記一連の原稿の全てを前記原稿積載手段にセットして、送信再開を指示するよう操作者に促すためのメッセージを前記操作表示手段に表示するリカバリ表示手段と、
送信再開が指示されると、前記最後の画像印刷制御手段によって印刷された最後の画像に対応するページよりも１ページ後に読み取られた原稿の画像データを、前記最後に読み取られた原稿の画像データに続くものとして、前記条件設定に従って前記送信ジョブを実行するリカバリ制御手段を有することを特徴とする請求項３に記載の画像送信装置。
【請求項６】
前記不完全画像印刷制御手段または前記最後の画像印刷制御手段は、自らが印刷する印刷物に相手先情報を印刷することを特徴とする請求項２〜５の何れかに記載の画像送信装置。
【請求項７】
前記送信制御手段は、前記送信再開の指示後、前記画像記憶手段に格納されている画像データの１ページ目から改めて送信することを特徴とする請求２〜６の何れかに記載の画像送信装置。
【請求項８】
コンピュータを、
一連の原稿に対応した画像データを送信するための送信ジョブの条件設定を行う操作表示手段と、
原稿積載手段にセットされた前記一連の原稿を１枚づつ給紙し、原稿読み取り位置へ順次搬送する原稿給紙搬送手段と、
前記読み取り位置の原稿を前記条件設定に従って読み取る原稿読み取り手段と、
前記読み取った原稿の画像データを前記条件設定に従って順次ページ単位で格納する画像記憶手段と、
この画像記憶手段に格納されている複数の画像データを前記条件設定に従って送信する送信制御手段と、
前記原稿給紙搬送手段が前記一連の原稿を搬送しているときに搬送を中断する原因があった場合に、読み取り途中の原稿ページに対応する１ページに満たない不完全な画像データを消去することなく前記画像記憶手段に格納する不完全画像データ格納制御手段と、
前記画像記憶手段に格納された画像データから印刷用データを生成する印刷用データ生成手段として機能させるための制御プログラム。
【発明の詳細な説明】
【技術分野】
【０００１】
本発明は、画像送信機能を有するファクシミリ、スキャナ、複合装置などの画像送信装置および、画像送信装置にて複数の原稿を自動的に給紙搬送して読み取っているときに、ジャムなどを原因とする中断があった場合の制御プログラムに関する。
【背景技術】
【０００２】
従来技術では、自動原稿搬送装置を有する複写機を用いて一連の原稿を読み取りコピーしているときにジャムが発生した場合のリカバリー方法として、原稿搬送枚数と印刷紙の排出枚数に基づき、既に読み取った原稿を何ページかを原稿セット位置に戻す指示をし、これに従って残りの原稿のセットを行ってから再スタートするというものがある（例えば特許文献１を参照。）。
【０００３】
また別の従来技術では、デジタル複写機で一連の原稿を読み取り中にジャムが発生した場合、既に読み取った画像データのページ数に基づき、再度この一連の原稿をセットし直して、読み取りが完了している原稿は読み取りを行うことなく搬送し、ジャムの発生により途中までしか読み取られていない原稿に対応する画像は消去され、読み取りが完了していない原稿以後は読み取りを行い、一連の原稿の全てページに対応する画像データを得ていた（例えば特許文献２や、特許文献３の従来技術を参照。）。
【０００４】
さらに別の従来技術では、原稿を読み取っている最中に原稿搬送装置でジャムが発生した場合に、最後に読み取られた原稿を表示し、その画像の状態に応じてこの画像を消去する技術がある（例えば特許文献４を参照。）。ここでは、読み取り途中の画像データの処理に関する記載はない。
【特許文献１】特開平２−６６５８６号公報
【特許文献２】特開平４−２４８７６１号公報
【特許文献３】特開２０００−８９６１７号公報
【特許文献４】特開平９−４６４９０号公報
【発明の開示】
【発明が解決しようとする課題】
【０００５】
しかし、前記特許文献１の技術は、原稿を露光して反射する光を用いて感光体に潜像を形成し、その潜像をトナー像として用紙に転写するアナログ複写機に関する技術であり、読み取りとトナー像が転写された用紙の排出がリアルタイムに対応しているからこそ、読み取りと排出用紙から原稿の戻しページ数が計算できるが、近年のスキャナ装置やファクシミリ装置は、一連の原稿を一旦所定ページ数、または原稿全てを読み取って画像データとして保持してからこの画像データを送信しているので、特許文献１の技術を用いた場合、既に画像データとして読み取られているものであっても再び読み取ることとなり無駄である。
【０００６】
また、前記特許文献２の技術や、特許文献３の従来技術としてあげられている技術では、デジタル複写機であり、既に読み取った原稿画像データを有効に活用し、何も考えることなく原稿を再セットすれリカバリーがされるという長所の反面、大量にある原稿の終盤でジャムが発生した場合であっても最初から原稿をセットしなおし、空送りと読み取りを行うので、時間がかかっていた。さらに、本当にジャム前後の原稿が抜けることなく送信されているか不安であった。
【０００７】
さらに、上記特許文献２の技術や、特許文献３の従来技術としてあげられている技術の問題を解決する技術ではあるが、しかしこの技術でも、通常では最後に読み取られた原稿は正常に読み取られていることが多く、無駄な作業をユーザに課している。
【０００８】
本発明は、自動原稿読み取り装置でジャムが発生した場合、読み取り途中の１ページに満たない画像データであっても、消去することなく保存し、この画像データを印刷することにより、原稿読み取りができなかったページを確実にユーザに知らせることを目的とする。
【課題を解決するための手段】
【０００９】
上記目的を達成するために、本発明の第１の画像送信装置は、一連の原稿に対応した画像データを送信するための送信ジョブを実行する画像送信装置において、前記送信ジョブの条件設定を行う操作表示手段と、前記条件設定に従って、原稿積載手段にセットされた前記一連の原稿を１枚づつ給紙し、原稿読み取り位置へ順次搬送する原稿給紙搬送手段と、前記読み取り位置の原稿を前記条件設定に従って読み取る原稿読み取り手段と、前記読み取った原稿の画像データを前記条件設定に従って順次ページ単位で格納する画像記憶手段と、この画像記憶手段に格納されている複数の画像データを前記条件設定に従って送信する送信制御手段と、前記原稿給紙搬送手段が前記一連の原稿を搬送しているときに搬送を中断する原因があった場合に、読み取り途中の原稿ページに対応する１ページに満たない不完全な画像データを消去することなく前記画像記憶手段に格納する不完全画像データ格納制御手段と、前記画像記憶手段に格納された画像データから印刷用データを生成する印刷用データ生成手段とを有することを特徴とする。
【００１０】
本発明の第２の画像送信装置は、第１の画像送信装置において、前記一連の原稿の搬送が中断したとき、前記不完全画像データから前記印刷用データ生成手段によって生成された印刷用データを印刷する不完全画像印刷制御手段を有することを特徴とする。
【００１１】
本発明の第３の画像送信装置は、第１または第２の画像送信装置において、前記一連の原稿の搬送が中断したとき、前記不完全画像データがない場合、または前記不完全画像データが所定容量以下である場合は、最後に読み取られた原稿の画像データから前記印刷用データ生成手段によって生成された印刷用データを印刷する最後の画像印刷制御手段を有することを特徴とする。
【００１２】
本発明の第４の画像送信装置は、第２の画像送信装置において、前記一連の原稿の全てを前記原稿積載手段にセットして、送信再開を指示するよう操作者に促すためのメッセージを前記操作表示手段に表示するリカバリ表示手段と、送信再開が指示されると、前記不完全画像に対応するページ以降に読み取られた原稿の画像データを、前記不完全画像に対応するページよりも１ページ前に読み取られた原稿の画像データに続くものとして、前記条件設定に従って前記送信ジョブを実行するリカバリ制御手段を有することを特徴とする。
【００１３】
本発明の第５の画像送信装置は、第３の画像送信装置において、前記一連の原稿の全てを前記原稿積載手段にセットして、送信再開を指示するよう操作者に促すためのメッセージを前記操作表示手段に表示するリカバリ表示手段と、送信再開が指示されると、前記最後の画像印刷制御手段によって印刷された最後の画像に対応するページよりも１ページ後に読み取られた原稿の画像データを、前記最後に読み取られた原稿の画像データに続くものとして、前記条件設定に従って前記送信ジョブを実行するリカバリ制御手段を有することを特徴とする。
【００１４】
本発明の第６の画像送信装置は、第２〜５の何れかの画像送信装置において、前記不完全画像印刷制御手段または前記最後の画像印刷制御手段は、自らが印刷する印刷物に相手先情報を印刷することを特徴とする。
【００１５】
本発明の第７の画像送信装置は、第２〜５の何れかの画像送信装置において、前記送信制御手段は前記送信再開の指示後、前記画像記憶手段に格納されている画像データの１ページ目から改めて送信することを特徴とする。
【００１６】
本発明の制御プログラムは、コンピュータを、一連の原稿に対応した画像データを送信するための送信ジョブの条件設定を行う操作表示手段と、原稿積載手段にセットされた前記一連の原稿を１枚づつ給紙し、原稿読み取り位置へ順次搬送する原稿給紙搬送手段と、前記読み取り位置の原稿を前記条件設定に従って読み取る原稿読み取り手段と、前記読み取った原稿の画像データを前記条件設定に従って順次ページ単位で格納する画像記憶手段と、この画像記憶手段に格納されている複数の画像データを前記条件設定に従って送信する送信制御手段と、前記原稿給紙搬送手段が前記一連の原稿を搬送しているときに搬送を中断する原因があった場合に、読み取り途中の原稿ページに対応する１ページに満たない不完全な画像データを消去することなく前記画像記憶手段に格納する不完全画像データ格納制御手段と、前記画像記憶手段に格納された画像データから印刷用データを生成する印刷用データ生成手段として機能させることを特徴とする。
【発明の効果】
【００１７】
例えば、上記特許文献２に記載された従来技術では１ページに満たないジャム発生時の不完全な画像データは消去、破棄されていた。また上記特許文献３、４に記載された従来技術では、原稿搬送装置でジャムが発生した場合には、最後に読み取られた画像データを表示して、リカバリに利用したり、画像データとして使用できるか否かを判断したりしている。しかし、この場合も本発明のように、１ページに満たない不完全な画像を利用するのではなく、単に、画像データとして格納されているもののうち、最後に読み取られた原稿の画像を表示しているに過ぎない。このような利用の仕方は、プラテンに原稿を停止させた状態で読み取り走査を行う読み取り方法においては充分ではあるが、近年のシートスルー方式の原稿搬送装置などでは、ジャムが発生した場合は、まず１枚の原稿を移動しながら読み取っている最中であることが多く、１ページに満たない画像は、最初から画像データとして利用することは考えられていない。
【００１８】
そこで、本発明の第１の画像送信装置を用いれば、従来では、原稿のジャムなど、原稿搬送を中断する原因が発生したときには消去、破棄されていた原稿の読み取り途中のページの不完全な画像データを保存しておき、その画像データから表示用データを生成することができるので、実際に中断原因となった原稿を操作者に知らせるための情報を得ることができる。
【００１９】
第２の画像送信装置によれば、前記中断時に読み取り途中であった原稿に対応する印刷用データを印刷するので、実際に中断原因となった原稿を操作者に視覚的に知らせることができる。さらに、複数種類の用紙からなる原稿をセットした場合にジャムしやすい原稿の紙質を確認するための役にも立つ。
【００２０】
第３の画像送信装置によれば、不完全画像データがない場合や、不完全画像データがあってもどのページの原稿に対応するのか判別できない程度の容量しかない場合には、不完全画像に代えて最後に正しく読み取られた原稿にに対応する印刷用データを印刷するので、実際に中断の原因となった原稿を操作者に間接的に知らせることができる。また、さらに、複数種類の用紙からなる原稿をセットした場合にジャムしやすい原稿の紙質を確認するための役にも立つ。
【００２１】
第４の画像送信装置によれば、リカバリ動作による印刷が終了した後、印刷された不完全画像と対応する原稿付近のページをみれば、ページ抜けや、重複して出力されていないかを確認することができ、ユーザの不安を解消できる。
【００２２】
第５の画像送信装置によれば、第４の画像送信装置の場合と同様に印刷された最後の画像と対応する原稿付近のページをみれば、ページ抜けや、重複して出力されていないかを確認することができ、ユーザの不安を解消できる。
【００２３】
第６の画像送信装置によれば、上記不完全画像、または最後の画像を印刷した用紙に相手先情報も印刷されるので、操作者がその用紙を見れば、例えば送信が途中で中断した旨を相手先へ連絡することができる。
【００２４】
第７の画像送信装置によれば、原稿搬送が中断した原因を取り除いて原稿を再びセットし、送信再開が指示されるまでの間、送信先との接続を切断しておいても、１ページ目の原稿の画像データから改めて送信される。このことにより、送信先で途中のページからの画像データを受け取ったために、誰宛に何が送られてきたのか分からないといったことが無くなる。
【００２５】
本発明の制御プログラムによれば、従来では、原稿のジャムなど、原稿搬送を中断する原因が発生したときには消去、破棄されていた原稿の読み取り途中のページの不完全な画像データを保存させて、その画像データから送信用データを生成させることができるので、実際に中断原因となった原稿を操作者に知らせるための情報を得ることができる。
【発明を実施するための最良の形態】
【００２６】
本発明を採用する画像送信装置としての複合装置を例にとって図１の概略図に基づいて説明する。同図にこの複合装置１はコピー、プリンタ、ファクシミリ、スキャナの機能を有する複合装置で、ＣＰＵ（中央処理装置）２、ＲＯＭ（リード・オンリー・メモリ）３、ＲＡＭ（ランダム・アクセス・メモリ）４、メール作成手段５、プリンタコントローラ６、プリンタ部７、後処理装置用Ｉ／Ｆ（後処理装置用インターフェイス）８、後処理装置９、操作パネル１０、スキャナ用Ｉ／Ｆ（スキャナ用インターフェイス）１１、スキャナ部１２、自動原稿搬送装置１３、画像記憶手段１４、ビットマップメモリ１５、ＣＯＤＥＣ（コーダ・デコーダ）１６、モデム１７、ＮＣＵ（ネットワーク制御装置）１８、公衆回線１９、ネットワークＩ／Ｆ（ネットワークインターフェイス）２０、バス２１、原稿積載トレイ２７などから構成されている。またこの複合装置１はネットワークケーブル２２を介してＰＣ（パーソナルコンピュータ）（２４，２５）やプリンタ２３と接続されている。
【００２７】
メール作成手段５は、ネットワークスキャナ機能において用いるもので、スキャナ部１２で読み取られた画像データを、予め登録した相手先へ電子メールに添付して送信するときの電子メールを作成する手段である。
【００２８】
プリンタコントローラ６は、接続されたパソコンから送信され、画像記憶手段１４の受信領域に格納されているプリントコマンド（ＰＤＬ）やジョブ情報を解析し、中間言語情報を生成するものである。この中間言語情報は画像記憶手段１４の中間言語情報記憶領域に格納される。
【００２９】
プリンタ部７は、ビットマップメモリ１５に展開されている画像データを順次このプリンタ部７の作像部のＬＳＵ（レーザ・スキャニング・ユニット）又はＬＰＨなどの潜像を書き込む光学装置に送り、この作像部でトナー像を形成し、これを給紙カセットから順次給紙、搬送される用紙に転写し、定着、排紙される。
【００３０】
後処理装置用Ｉ／Ｆ８と後処理装置９は、この複合装置１から印刷されて排出される印刷物に、ステイプル、パンチなどの後処理、ソート、グループなどの仕分けなどを行う後処理装置９と、これを複合装置１本体と接続するためのインターフェース及びケーブルである。
【００３１】
操作パネル１０は、図２に示すように大型のＬＣＤ（液晶ディスプレイ）デバイスであるＬＣＤ表示部１０１、スタートキー１０２、ストップクリアキー１０３、リセットキー１０４（オールクリアキー）、初期設定キー１０５、節電キー１０６などの複数の操作キーから構成されている。この画像送信装置は複合装置なので操作表示部はコピー機能画面、プリンタ機能画面、ファクシミリ機能画面、スキャナ機能画面を操作パネル１０の左にある選択キーにより切り替え可能である。
【００３２】
ＬＣＤ表示部１０１に表示される画面は、図３に示すネットワークスキャナ機能の基本画面と、この画面の下にある複数のタブのうち「ユーザ機能」を選択すると「ユーザ機能画面」（機能画面の１つ）が表示される。さらに「機能リスト」のタブを選択すると「機能リスト画面」（機能画面の１つ）などが表示される。その他、プリンタ機能、ネットワークスキャナ機能、ファクシミリ機能の画面に切り替えることができる。複合機１のオペレータは操作パネル１０に備えられた各キーとＬＣＤ表示部１０１を操作して、所望の送信ジョブの条件設定を行うことができる。ここでいう条件とは、原稿から得た画像データを、後述する公衆回線やネットワークケーブル等の電気通信回線を介して送信するためのものであり、原稿読み取りに関するもの（例えば原稿の面数、原稿サイズなど）、画像記憶と送信制御に関するもの（例えば送信サイズ、送信ビット数、データ形式など）などが上げられる。
【００３３】
スキャナＩ／Ｆ１１は、この複合装置１の上に置かれたスキャナ部１２とケーブルを介して接続し、このスキャナ部１２と自動原稿搬送装置１３を制御するためのインターフェースである。
【００３４】
スキャナ部１２は、自動原稿搬送装置１３で１枚ずつ搬送される、または１枚をコンタクトガラス上に置いた原稿にハロゲンランプまたは蛍光灯で光を当てその反射光をＣＣＤ（電荷結合素子）センサで読み取り、このアナログ信号をＡ／Ｄ変換でデジタル信号に変換し画像処理部で画像処理をして後段のビットマップメモリ１５に展開され、コピー機能においては、このビットマップメモリ１５に展開された画像はＣＯＤＥＣ１６で符号化されて画像記憶手段１４に格納される。さらに、このビットマップメモリ１５は、スキャナ部１２からの画像データの他、ネットワークなどを介して接続されたパソコンから転送されてくるプリントコマンドをプリンタコントローラ６で解析し生成される中間言語情報、相手方ファクシミリ２６から公衆回線１９、ＮＣＵ１８、モデム１７を介して送られてくる画像データを必要に応じてＣＯＤＥＣ１６で伸張しフルビットマップの画像データとして展開、保持する手段である。このＣＯＤＥＣ１６は、プリントデータに含まれる画像データの符号化されたものを復号化するためにも用いられる。
【００３５】
自動原稿搬送装置１３は、原稿積載トレイ２７にセットされた一連の原稿を１枚ずつ原稿読み取り位置まで搬送した後、排出する。原稿読み取り位置は自動原稿搬送装置１３の種類によって異なる。例えば、シートスルー型の自動原稿搬送装置１３においては原稿搬送路の最下部であり、この位置に対面するスリットより原稿を露光して反射光をスリット付近に固定されたＣＣＤセンサで読み取る。また、原稿循環型の自動原稿搬送装置１３においてはコンタクトガラス上であり、この場合は手動で原稿をコンタクトガラス上に置いてコピーする場合と同様にＣＣＤセンサを走査して画像を読み取る。
【００３６】
画像記憶手段１４は、上述したコピー機能や受信画像領域や中間言語領域の他、通常ファクシミリのメモリ送信、予約送信を行う場合に、スキャナ部１２で読み取った画像データをＣＯＤＥＣ１６で符号化して格納する。またスキャナ機能を用いる場合は、スキャナ部１２で読み取った画像データをＣＯＤＥＣ１６で符号化して記憶したものを外部のＰＣ（２４、２５）へ送信することもできるし、同じようにファクシミリのポーリング機能では、相手方ファクシミリからの要求に従って送信することも可能である。画像データの格納素子としては、ＲＡＭ４の他、近年は画像送信装置に比較的大きい容量の画像データ格納用のハードディスクを用いて画像メモリとしているのも多い。
【００３７】
モデム１７は、公衆回線１９から送信されてくるアナログ信号をデジタル信号に変換し、また逆にデジタル信号をアナログ信号に変換して公衆回線で送信するためのものであり、変調、復調を行ったり、ＨＤＬＣフレームのみを受信するなど行う。ＮＣＵ１８は、公衆回線への接続、ファクシミリと電話の切り替え、回線へのオンフック信号の送出、リング検出などを行う。
【００３８】
ネットワークＩ／Ｆ２０は、複合装置１をネットワークに接続するインターフェースである。ここではパソコン（２４、２５）やプリンタ２３や図示していないその他の接続機器とネットワークケーブル２２を介して接続されている。
【００３９】
バス２１は、上述した各構成のデータや信号のやり取りを行うバスである。それぞれ画像データ用のバスや制御信号用のバスがあるが、ここでは略して１つで表している。
【００４０】
ＣＰＵ２は複合装置１の上記を含む複合機１の各構成の動作および機能を制御しており、上記条件設定に従って送信ジョブを実行する。ここで、送信ジョブとは、上記条件設定に従って一連の原稿に対応した画像データを送信するために、ＣＰＵ２が各構成の動作および機能を制御する処理を指す。更に、ＣＰＵ２は本発明の制御プログラムを含む各種プログラムを記憶したＲＯＭ３、ユーザーチョイスデータ、設定情報、トータルカウントデータ、各種フォントデータなどを記憶したＲＡＭ４に接続されている。
【００４１】
特に本発明の画像送信装置においては、ＣＰＵ２は図７に示すように、送信制御手段２０１、不完全画像データ格納制御手段２０２、印刷用データ生成手段２０３、不完全画像印刷制御手段２０４、最後の画像印刷制御手段２０９、リカバリ表示手段２０７およびリカバリ制御手段２０８を有する。これらの各手段２０１〜２０８は、本発明の画像送信装置の特徴となる動作および機能を制御するものである。なお、ＣＰＵ２は上記の各手段２０１〜２０８による動作だけでなく、複合装置１の各構成の動作全般についても制御することは言うまでもない。
【００４２】
送信制御手段２０１は、画像記憶手段１４に格納されている複数の画像データを、操作パネル１０で設定された送信ジョブの条件設定に従って、電気通信回線を接続して指定した送信先へ送信する。ここで、当該送信には、上述した電子メールによる送信、ファクシミリ送信、ＰＣ（２４、２５）への画像データ送信といった、電気通信回線で接続された外部の受信端末への送信が上げられる。
【００４３】
また、送信制御手段２０１は1ページ分の原稿が読み取られる度に送信を行っているときに原稿搬送が中断した場合、送信を中断して回線を切断するのが好ましい。ファクシミリ装置でのダイレクト送信などがこの場合に該当し、無駄な回線使用料が掛からなくて済む他、回線をトラフィック量を不必要に増加させるのを回避することができる。逆に、一連の原稿を全て読み取ってから送信を開始する場合は、原稿の読み取り中は通常、回線が接続されていない。従って、上記の問題は発生せず、原稿搬送が中断した原因を取り除いた後、全ての原稿を読み取ってから回線を接続して送信を開始すれば良い。ファクシミリ装置でのメモリ送信、ネットワークスキャナによるＰＣ送信（ＬＡＮ回線などを介してパソコン端末などに画像データを送信する方法）やメール送信（メールに画像データを添付して送信する方法）などがこの場合に相当する。
【００４４】
不完全画像データ格納制御手段２０２は、自動原稿搬送装置１３で搬送されながら読み取られて、画像記憶手段１４に格納されている途中でジャムや、カバーのオープンや電源が切断されるなど、原稿搬送が中断する原因があった場合、この途中まで画像記憶手段１４に格納されたものを消去せずに、そのまま不完全画像データとして格納する。
【００４５】
印刷用データ生成手段２０３は、画像記憶手段１４に格納された画像データから印刷用データを生成する。すなわち、当該画像データをＣＯＤＥＣ１６によって復号化し、次いで必要に応じて画像処理を施して印刷用データとする。このとき、不完全画像印刷制御手段２０４または最後の画像印刷制御手段２０４からの指示により印刷用データを生成するのであれば、当該指示により画像とともに相手先情報、ページ情報などを付加（画像処理）して印刷することが好ましい。特に、相手先情報を印刷すれば、送信が中断した旨を相手先へ知らせることができる。さらに、印刷用データ生成手段２０３は、生成された印刷用データを保存する。この印刷用データは通常、すぐに印刷されるのでビットマップメモリ１５に保存すればよいが、すぐに印刷しない場合は画像記憶手段１４に格納することもできる。ここで、画像記憶手段１４に格納する場合は、ＣＯＤＥＣ１６によって符号化すればよく、印刷実行時に複合化される。あるいは、印刷用データのまま画像記憶手段１４に格納しても良い。
【００４６】
不完全画像印刷制御手段２０４は、原稿搬送が中断したとき、上記不完全画像データを選択して、この不完全画像データから印刷用データ生成する旨を印刷用データ生成手段２０３に指示する。さらに、生成された印刷用データを印刷する。
【００４７】
最後の画像印刷制御手段２０９は、原稿搬送が中断したとき、不完全画像データがない場合、または不完全画像データが所定容量以下の場合、最後に読み取られた原稿の画像データを選択して、この最後の画像データから印刷用データ生成する旨を印刷用データ生成手段２０３に指示する。さらに、生成された印刷用データを印刷する。
【００４８】
リカバリ表示手段２０７は、不完全画像印刷制御手段２０４または最後の画像印刷制御手段２０９により印刷用データが印刷されたときに、一連の原稿の全てを前記原稿積載手段にセットして、送信再開を指示するよう操作者に促すためのメッセージをＬＣＤ表示部１０１に表示する。なお、このメッセージを表示するタイミングとしては、原稿搬送を中断した原因が除去された後、例えばジャム解除、カバー閉、電源オンされた後となる。
【００４９】
リカバリ制御手段２０８は、送信再開が指示されると、前記不完全画像に対応するページ以降に読み取られた原稿の画像データを、前記不完全画像に対応するページよりも１ページ前に読み取られた原稿の画像データに続けて前記条件設定に従って送信を実行するよう、送信制御手段２０１に指示する。ここで、送信ジョブ再開前に画像記憶手段１４に格納された画像データの内、まだ送信されていないものがあれば、そのページの画像データから送信を開始しても良い。もちろん、送信ジョブ再開前に格納された画像データが全て送信されていれば、上記最後の画像データは送信されたことになるので、送信再開の指示後に前記不完全画像に対応するページ以降に読み取られた原稿の画像データから送信を開始することになる。また、送信先で途中のページからの画像データを受け取ったために、誰宛に何が送られてきたのか分からないといった状況を回避するためには、１ページ目の原稿の画像データから改めて送信すればよい。送信ジョブ再開に際して、リカバリ表示手段２０７によって上記メッセージが表示されるので、操作者が表示に従って一連の原稿をセットすれば、原稿搬送の中断原因となったページの原稿から読み込みが再開されることになる。なお、送信ジョブ再開後、前記不完全画像に対応するページの１ページ前までの原稿については、画像を読み取って得られた画像データを消去するか、送信ジョブ再開前に格納された該当ページの画像データと置き換えることもできるが、画像を読み取らずに空送りするのが好ましい。
【００５０】
また、リカバリ制御手段２０８は、前記一連の原稿の搬送が中断したとき、前記不完全画像データがない場合、または前記不完全画像データが所定容量以下である場合、次に述べる動作を行う。すなわち、リカバリ制御手段２０８は送信再開が指示されると、最後の画像印刷制御手段２０９によって印刷された最後の画像に対応するページよりも１ページ後に読み取られた原稿の画像データを、前記最後に読み取られた原稿の画像データに続けて前記条件設定に従って送信を実行するよう送信制御手段２０１に指示する。ここで、送信ジョブ再開前に画像記憶手段１４に格納された画像データの内、まだ送信されていないものがあれば、そのページの画像データから送信を開始する。もちろん、送信ジョブ再開前に格納された画像データが全て送信されていれば、上記最後の画像データは送信されたことになるので、送信再開の指示後に前記最後の画像に対応するページよりも１ページ後に読み取られた原稿の画像データから送信を開始することになる。また、送信先で途中のページからの画像データを受け取ったために、誰宛に何が送られてきたのか分からないといった状況を回避するためには、１ページ目の原稿の画像データから改めて送信すればよい。送信ジョブ再開に際して、リカバリ表示手段２０７によって上記メッセージが表示されるので、操作者が表示に従って一連の原稿をセットすれば、原稿搬送の中断原因となったページの原稿から読み込みが再開されることになる。なお、送信ジョブ再開後、前記最後の画像に対応するページまでの原稿については、画像を読み取って得られた画像データを消去するか、送信ジョブ再開前に格納された該当ページの画像データと置き換えることもできるが、画像を読み取らずに空送りするのが好ましい。
【００５１】
本発明の実施形態として、複数ページに渡る一連の原稿に対応する画像データを送信する場合のリカバリに関する処理を図４のフローチャートを用いて説明する。まず、操作パネル１０から送信ジョブの条件設定を行い（Ｓ２０１）、一連の原稿を自動原稿搬送装置１３の原稿積載手段２７にセットし（Ｓ２０２）、スタートキー１０２を操作すると（Ｓ２０３）、原稿を１枚給紙するとともに（Ｓ２０４）、原稿を搬送させながら読み取り位置でＣＣＤが読み取っていく。このときＣＣＤで読み取られたアナログ画像信号はＡ／Ｄ変換されてデジタル画像信号となり、画像処理がされて上記ビットマップメモリ１５に展開されていく。このビットマップメモリ１５に展開された画像データは、ＣＯＤＥＣ１６により符号化されて画像記憶手段１４に書き込まれることで格納されていく（Ｓ２０５）。このとき、自動原稿搬送装置１３でのジャムなどの中断が発生したかを判断し（Ｓ２０６）、ジャムが無ければこのページの原稿を全て読み取りが完了したかを判断し（Ｓ２０７）、完了していなければＳ２０６に戻り、このページの読み取りが完了していれば、次のページの原稿があるか否かを判断し（Ｓ２０８）、有ればＳ２０４に戻り、無ければこの読み取り動作は終了し、上記条件設定に従って送信が行われる。このとき送信制御手段２０１は電気通信回線を接続してＳ２０１で指定した送信先へ画像データを送信する。一連の原稿全ての画像データの送信が完了した後、電気通信回線を切断して送信ジョブが終了する（Ｓ２０９）。
【００５２】
Ｓ２０９では、原稿全てを読み取ってから送信を開始するフローになっているが、ファクシミリ装置でのダイレクト送信のような場合は、読み取りが完了したページを随時送信してもよい。また、全てのページの原稿を読み取りが完了してからでないと送信できない条件設定（例えばファクシミリ装置のダイレクト送信、ネットワークスキャナのＰＣ送信やメール送信など）であれば、一旦画像記憶手段１４に原稿全てを格納してから送信をする事になる。
【００５３】
Ｓ２０６でジャムなどの中断が発生した場合は、不完全画像データ格納制御手段２０２は原稿のページ途中まで読み取った不完全画像データがあるか否かを判断し（Ｓ２１０）、不完全画像データがある場合は、この不完全画像データが所定のサイズ以上あるか否かを判断し（Ｓ２１１）、所定のサイズ以上であればこの不完全画像データを消去することなく画像記憶手段１４に格納しておく（Ｓ２１２）。この所定サイズは、いずれの原稿かを識別できる程度なので、１ページの画像データ容量の２５％もあれば充分である。続いて、不完全画像印刷制御手段２０４は印刷用データ生成手段２０３に対して、不完全画像データに対応する印刷データを生成して保存する旨を指示する（Ｓ２１３）。
【００５４】
Ｓ２１０で不完全画像データがないか不完全画像データが所定のサイズ以下と判断した場合は不完全画像データを格納することなくＳ２１５に進む。Ｓ２１５では最後の画像印刷制御手段２０９は印刷用データ生成手段２０３に対して、最後の画像に対応する印刷データを生成して保存する旨を指示する。
【００５５】
次に、リカバリ表示手段２０７は、図５に示すように自動原稿搬送装置１３でジャムした原稿を取り除く旨の表示と、「はじめから原稿をセットし直して、再スタートして下さい。」との表示を行い、ユーザに原稿をはじめからセットし直すよう促す。このとき、不完全画像または最後の画像のデータを表示させても良い。そして、ユーザが上記指示に従い原稿をはじめからセットし（Ｓ２１６）、スタートキーを操作すると（Ｓ２１７）、再セットされた１枚の原稿を給紙し（Ｓ２１８）、この原稿と対応する画像データは既に格納していれば（Ｓ２１９）、この原稿を読み取ることなく搬送、排出し（Ｓ２２０）、Ｓ２１８に戻って次の原稿を給紙する。Ｓ２１９で、対応する画像データがない場合は、Ｓ２０４に進み、残りの原稿が読み込まれた（Ｓ２０４〜Ｓ２０８）後に、上記条件設定に従い送信が実行される（Ｓ２０９）。次いで、ステップＳ２１３またはＳ２１５で生成された不完全画像または最後の画像からの印刷用データがあれば、当該印刷用データを印刷してリカバリが終了する（Ｓ２２２）。この不完全画像または最後の画像の印刷には、図６に示すように、相手先情報、ページ情報やジャム発生による出力であることの印字を行うといっそう利用に便利となる。この付与する情報としては、時刻情報、ユーザ情報なども用いることができる。なお、Ｓ２１８以降の処理はリカバリ制御手段２０８が制御するものである。
【００５６】
上記の実施形態では、不完全画像または最後の画像から生成した印刷用データをＳ２０９の送信処理の後に印刷しているが、この印刷処理を印刷用データ生成後すぐに印刷しても良い。この場合、当該印刷用データの印刷物に相手先を付加すれば、送信再開の指示前に相手先へ原稿搬送が中断した旨を連絡することができる。
【００５７】
なお、上記実施形態においては、一連の原稿を全て読み取ってから送信を開始する場合について説明したが、原稿を1ページ分読み取る度に送信しても良い。この場合、上記Ｓ２０３にて、送信制御手段２０１は電器通信回線を接続し、送信先との通信が可能な状態にする。そして、上記Ｓ２０９のステップをＳ２０７の後に入れればよい。更に、原稿搬送が中断した後、送信ジョブを再開する際、1ページ目の原稿に対応する画像データから改めて送信しても良い。また、原稿搬送が中断したところで一旦、電気通信回線を切断し、送信ジョブ再開時に再度接続しても良い。
【００５８】
以上、述べたように本発明によれば、自動原稿搬送装置でジャムなどが発生して中断した場合でも、効率よくリカバリをすることができる。また、自動原稿搬送装置でジャムなどが発生して中断した場合でも、リカバリがされたあとに、ジャムした原稿と対応するコピーの確認することが容易にでき、ユーザの不安を解消できる。
【図面の簡単な説明】
【００５９】
【図１】本発明を採用する複合装置及び周辺機器のブロック図である。
【図２】本発明を採用する複合装置の操作パネルである。
【図３】本発明を採用する複合装置の操作パネルのＬＣＤ表示部に表示される基本画面である。
【図４】本発明を採用する複合装置のコピー機能における、原稿の読み取り時のリカバリ処理に関するフローチャートである。
【図５】不完全画像データの表示とリカバリ指示手段の一例である。
【図６】本発明を採用する複合装置で、不完全画像を印刷したときの一例である。
【図７】ＣＰＵの構成を示す図である。
【符号の説明】
【００６０】
１；複合装置
２；ＣＰＵ
３；ＲＯＭ
４；ＲＡＭ
６；プリンタコントローラ
７；プリンタ部
１０；操作パネル
１１；スキャナ用インターフェース
１２；スキャナ部
１３；自動原稿搬送装置
１４；画像記憶手段
１５；ビットマップメモリ
１６；ＣＯＤＥＣ
２１；バス
２３；プリンタ
２７；原稿積載トレイ
２０１：送信制御手段
２０２：不完全画像データ格納制御手段
２０３：印刷用データ生成手段
２０４：不完全画像印刷制御手段
２０７：リカバリ表示手段
２０８：リカバリ制御手段
２０９：最後の画像印刷制御手段
【図１】
2005277749.tif 000003
【図２】
2005277749.tif 000004
【図３】
2005277749.tif 000005
【図４】
2005277749.tif 000006
【図５】
2005277749.tif 000007
【図６】
2005277749.tif 000008
【図７】
2005277749.tif 000009